(57)【要約】【課題】コアのコアティース部の回りに巻線を巻回することにより巻線部を形成するとき、絶縁部材がコアの周方向において移動することを抑えるのに有利な回転機器を提供する。【解決手段】回転機器は、コアリング体１１とコアティース部１２とスロットル空間１８とをもつコア１と、第１リング体２１と第１ティース部２２とをもつ第１インシュレータ２と、第２リング体３１と第２ティース部３２とをもつ第２インシュレータ３と、コアティース部１２間のスロットル空間１８に配置され電気絶縁性を有する第１絶縁部材５と、コア１を構成する各コアティース部１２の回りにそれぞれ巻回された導電性をもつ巻線部６とを有する。第１インシュレータ２、第２インシュレータ３およびコア１のうちの少なくとも一方は、第１絶縁部材５に係合し第１絶縁部材５がコア１の周方向に移動することを抑える第１係合部８１を備えている。【選択図】図８
2009130942.tif 000002
【特許請求の範囲】
【請求項１】
リング形状をなすコアリング体と前記コアリング体にこれの中心に対して放射方向に沿って突設された複数のコアティース部と、隣設する前記コアティース部間に設けられたスロットル空間とをもつコアと、
前記コアの前記コアリング体に対面するリング形状をなす第１リング体と前記第１リング体にこれの中心に対して放射方向に沿って突設された複数の第１ティース部とをもち、前記コアの軸長方向の一面側を被覆する第１インシュレータと、
前記コアの前記コアリング体に対面するリング形状をなす第２リング体と前記第２リング体にこれの中心に対して放射方向に沿って突設された複数の第２ティース部とをもち、前記コアの軸長方向の他面側を被覆する第２インシュレータと、
前記コアのうちこれの周方向に隣設する前記コアティース部間の前記スロットル空間において前記コアティース部に対面するように配置され電気絶縁性を有する第１絶縁部材と、
前記コアを構成する各前記コアティース部の回りにそれぞれ巻回された導電性をもつ巻線部とを具備しており、
前記第１インシュレータ、前記第２インシュレータおよび前記コアのうちの少なくとも一方は、
前記スロットル空間内における前記第１絶縁部材に係合し前記第１絶縁部材が前記コアの周方向において移動することを抑える第１係合部を備えていることを特徴とする回転機器。
【請求項２】
請求項１において、平面視または側面視において、前記第１インシュレータおよび第２インシュレータのうちの少なくとも一方は、前記一方の中心に対して放射方向に突設された放射方向突起部と、前記周方向に沿って突設された周方向突起部とを備えており、前記周方向突起部は前記第１係合部を有することを特徴とする回転機器。
【請求項３】
請求項１または２において、平面視または側面視において、前記コアの各前記コアティース部は、前記コアリング体の中心に対して前記放射方向に突設されたコア放射方向突起部と、前記周方向に沿って突設されたコア周方向突起部とを備えており、前記コア周方向突起部は前記第１係合部を有することを特徴とする回転機器。
【請求項４】
請求項１〜３のうちの一項において、前記第１インシュレータおよび前記第２インシュレータのうちの少なくとも一方は、前記巻線部の巻回量を示唆する巻回量示唆部を有することを特徴とする回転機器。
【請求項５】
請求項１〜４のうちの一項において、前記第１絶縁部材は、前記コアの周方向において隣設する前記コアティース部間にスリット状隙間を形成するように配置されており、
電気絶縁性を有する第２絶縁部材が前記スリット状隙間を覆うように、隣設する前記コアティース部間に設けられていることを特徴とする回転機器。
【請求項６】
請求項１〜５のうちの一項において、前記コアは前記軸長方向に沿って延設され凹または凸形状をなす案内部をもち、
前記第１インシュレータおよび前記第２インシュレータのうちの少なくとも一方は、前記軸長方向に沿って凹または凸形状をなすように延設され前記案内部に案内される被案内部をもつことを特徴とする回転機器。
【請求項７】
請求項１〜６のうちの一項において、前記第１インシュレータおよび前記第２インシュレータのうちの少なくとも一方は第２係合部を備えており、前記第２係合部は、前記スロットル空間内の前記第１絶縁部材のうち前記軸長方向の端部に係合し且つ前記第１絶縁部材が前記軸長方向に移動することを抑えることを特徴とする回転機器。
【請求項８】
請求項７において、前記第１絶縁部材は折り目を介して複数の角部を有する断面Ｃ形状に成形されており、前記第２係合部は、前記スロットル空間内の前記第１絶縁部材のうち前記折り目の前記軸長方向の端部を係合することを特徴とする回転機器。
【発明の詳細な説明】
【技術分野】
【０００１】
本発明は、発電機またはモータ等の回転機器に関する。
【背景技術】
【０００２】
従来、リング形状をなす板部材を積層して形成されたコアと、コアをこれの積層方向に挟む２つのインシュレータと、コアのコアティース部間のスロットル空間においてコアティース部に対面するように配置され電気絶縁性を有する絶縁部材とをもつ回転機器が知られている（特許文献１）。このコアのコアティース部に絶縁部材が取り付けられた状態で、導電性をもつ巻線をコアティース部の回りに巻回することにより、巻線部を形成することにしている。このものによれば、インシュレータは係合部をもつ。そして、絶縁部材の端部を折り曲げて形成した折曲部分をインシュレータの係合部に係合させることにしている。このものによれば、絶縁部材がコアの軸長方向に移動することを抑えることができる。
【特許文献１】特開２００１−１１２２０５号公報
【発明の開示】
【発明が解決しようとする課題】
【０００３】
上記した公報技術によれば、スロット開口内に配置されている絶縁部材がコアの軸長方向に移動することを抑えることができる。しかしながら、上記したようにコアのコアティース部の回りに巻線を巻回するとき、絶縁部材がコアの周方向において移動するおそれがある。場合によっては、絶縁部材が巻線に巻き込まれるおそれがある。
【０００４】
本発明は上記した実情に鑑みてなされたものであり、コアのコアティース部の回りに巻線を巻回することにより巻線部を形成するとき、スロットル空間内の第１絶縁部材がコアの周方向において移動することを抑えるのに有利であり、コアティース部と巻線部との間の電気絶縁性を高めるのに有利な回転機器を提供することを課題とする。
【課題を解決するための手段】
【０００５】
本発明に係る回転機器は、（ｉ）リング形状をなすコアリング体とコアリング体にこれの中心に対して放射方向に沿って突設された複数のコアティース部と、隣設するコアティース部間に設けられたスロットル空間とをもつコアと、（ｉｉ）コアのコアリング体に対面するリング形状をなす第１リング体とコアのコアリング体にこれの中心に対して放射方向に沿って突設された複数の第１ティース部とをもち、コアの軸長方向の一面側を被覆する第１インシュレータと、（ｉｉｉ）コアのコアリング体に対面するリング形状をなす第２リング体とコアのコアリング体にこれの中心に対して放射方向に沿って突設された複数の第２ティース部とをもち、コアの軸長方向の他面側を被覆する第２インシュレータと、（ｉｖ）コアのうちこれの周方向に隣設するコアティース部間のスロットル空間においてコアティース部に対面するように配置され電気絶縁性を有する第１絶縁部材と、（ｖ）コアを構成する各コアティース部の回りにそれぞれ巻回された導電性をもつ巻線部とを具備しており、（ｖｉ）第１インシュレータ、第２インシュレータおよびコアのうちの少なくとも一方は、スロットル空間における第１絶縁部材に係合し第１絶縁部材がコアの周方向に移動することを抑える第１係合部を備えていることを特徴とする。
【０００６】
コアは、空気よりも透磁率が高い金属（例えば軟磁性材料）を基材とし且つ磁路を形成するコアである。コアは、透磁率が高い金属（例えば軟磁性材料）製の板部材を軸長方向に積層して形成したり、あるいは、透磁率が高い金属粉末を固結して形成したりできる。コア部材は、リング形状をなすコアリング体と、コアリング体にこれの中心に対して放射方向に沿って突設された複数のコアティース部とをもつ。放射方向としては、外歯状をなすように径外方向でもよいし、内歯状をなすように径内方向でもよい。
【０００７】
第１インシュレータは電気絶縁性を有する材料（例えば樹脂、セラミックス）で形成されており、コアの厚み方向の一面側を被覆するものであり、コアに対する電気絶縁性を高める。第１インシュレータは、コアのコアリング体に対面するリング形状をなす第１リング体と、第１リング体にこれの中心に対して放射方向（径外方向または径内方向）に沿って突設された複数の第１ティース部とをもつ。第１ティース部は、コアのコアティース部に対面するようにコアティース部と同じ方向に突出する。
【０００８】
第２インシュレータは電気絶縁性を有する材料（例えば樹脂、セラミックス）で形成されており、コアの軸長方向の他面側を被覆するものであり、コアに対する電気絶縁性を高める。第２インシュレータは、コアのコアリング体に対面するリング形状をなす第２リング体と、第２リング体にこれの中心に対して放射方向に沿って突設された複数の第２ティース部とをもつ。第２ティース部は、コアのコアティース部に対面するようにコアティース部と同じ方向に突出する。
【０００９】
電気絶縁性を有する第１絶縁部材は、コアのうちこれの周方向に隣設するコアティース部間のスロットル空間において、コアティース部に対面するように配置されている。第１絶縁部材の形状は特に限定されないが、断面で、Ｃ形状、ほぼＣ形状、コの字形状が例示される。第１絶縁部材はスリット状隙間を有することできる。
【００１０】
巻線部は、コアを構成する各コアティース部の回りに、導電性をもつ巻線を複数回巻回して形成されている。第１係合部は、第１インシュレータおよび第２インシュレータのうちの少なくとも一方に設けられている。従って双方に設けられていてもよい。第１係合部は第１絶縁部材に係合しており、第１絶縁部材がコアの周方向に移動することを抑える。
【００１１】
本発明によれば、第１インシュレータ、第２インシュレータおよびコアのうちの少なくとも一方には、第１係合部が設けられている。第１係合部は、スロットル空間内の第１絶縁部材に係合し、第１絶縁部材がコアの周方向に移動することを抑える。このためスロットル空間内の第１絶縁部材の移動が抑えられる。このため、巻線をコアの各コアティース部の巻回して巻線部を形成するときであっても、第１絶縁部材の移動、ずれ変位が抑えられ、第１絶縁部材が巻線に巻き込まれることが抑えられる。従って、コアと巻線部との電気絶縁性が良好に確保される。
【００１２】
第１係合部は、第１インシュレータのみに形成しても良いし、第２インシュレータのみに形成しても良いし、コアのみに形成しても良い。第１係合部は、第１インシュレータおよび第２インシュレータの双方に形成しても良い。第１係合部は、第１インシュレータ、第２インシュレータおよびコアの三者に形成しても良い。
【発明の効果】
【００１３】
本発明によれば、第１インシュレータおよび第２インシュレータのうちの少なくとも一方に設けられている第１係合部は、スロットル空間内の第１絶縁部材に係合し、これにより第１絶縁部材がコアの周方向に移動することを抑えることができる。従って、スロットル空間内の第１絶縁部材の移動および／または外れが抑制される。
【００１４】
この結果、コアのコアティース部の回りに巻線を巻回するときであっても、スロットル空間内の絶縁部材がコアの周方向において移動することを抑えるのに有利である。よってスロットル空間内における絶縁部材が巻線に巻き込まれることが抑制される。よってコアと巻線部との間の電気絶縁性を高めるのに有利となる。
【発明を実施するための最良の形態】
【００１５】
本発明については次の実施形態が例示される。
【００１６】
・平面視において、第１インシュレータおよび第２インシュレータのうちの少なくとも一方は、コアリング体の中心に対して放射方向に突設された放射方向突起部と、コアリング体の周方向に沿って突設された周方向突起部とを備えており、周方向突起部は第１係合部を有する形態が例示される。第１係合部は、スロットル空間内に第１絶縁部材に係合し、第１絶縁部材がコアの周方向に移動することを抑えることができる。平面視は、コアの中心線を点状に視認する形態を意味する（図２の紙面上方から視認する）。
【００１７】
・平面視において、コアの各コアティース部は、コアリング体の中心に対して放射方向に突設されたコア放射方向突起部と、コアリング体の周方向に沿って突設されたコア周方向突起部とを備えており、コア周方向突起部は第１係合部を有する形態が例示される。第１係合部は、スロットル空間内の第１絶縁部材に係合し、第１絶縁部材がコアの周方向に移動することを抑えることができる。
【００１８】
・第１インシュレータおよび第２インシュレータのうちの少なくとも一方は、巻線部の巻回量を示唆する巻回量示唆部を有する形態が例示される。巻線部の巻回量が示唆（巻回量の指定を含む）されるため、巻線部の巻径の過剰化が抑制される。この場合、第２絶縁部材をスロットル空間内に挿入させ易い。
【００１９】
・第１絶縁部材は、コアの周方向に隣設するコアティース部間にスリット状隙間を形成するように配置されており、電気絶縁性を有する第２絶縁部材がスリット状隙間を覆うように、隣設するコアティース部間に設けられている形態が例示される。巻線部に対する電気絶縁性が第２絶縁部材により更に良好となる。
【００２０】
・第１インシュレータ、第２インシュレータおよびコアのうちの少なくとも一方は、第１絶縁部材に係合し第１絶縁部材がコアの軸長方向に移動することを抑える第２係合部を備えている形態が例示される。スロットル空間内の第１絶縁部材がコアの軸長方向に移動することを第２係合部により抑えることができ、巻線部に対する電気絶縁性が更に良好に確保される。
【００２１】
・第１絶縁部材は折り目を介して複数の角部を有する断面ほぼＣ形状に成形されている形態が例示される。そして、第２係合部は、スロットル空間内の第１絶縁部材のうち折り目の軸長方向の端部を係合する形態が例示される。この場合、第１絶縁部材の軸長方向の移動が抑えられる。殊に、第２係合部が第１絶縁部材の折り目に係合すれば、第１絶縁部材の保持性を高めるのに有利である。
【００２２】
・コアはこれの軸長方向に沿って突設され凹または凸形状をなす案内部をもち、第１インシュレータおよび第２インシュレータのうちの少なくとも一方は、軸長方向に沿って凹または凸形状をなすように延設され案内部に案内される第２被案内部をもつ形態が例示される。コアに対して第１インシュレータまたは第２インシュレータを位置決めできる。案内部は、孔状でもよいし、突起状でもよい。第１被案内部および第２被案内部は、孔状でもよいし、突起状でもよい
・第１絶縁部材は折り目を介して複数の角部を有する断面ほぼＣ形状に成形されている形態が例示される。この場合、第２係合部は、スロットル空間内の第１絶縁部材のうち折り目の軸長方向の端部を係合する形態が例示される。この場合、第１絶縁部材の軸長方向のずれ変位が第２係合部により抑えられ、電気絶縁性が更に良好に確保される。
【実施例１】
【００２３】
以下、本発明の実施例１について図１〜図１１を参照して説明する。図１は回転機器の側面視を示す。回転機器は発電機またはモータに使用される。回転機器は、コア１と、コア１の積層方向（軸長方向，矢印Ｔ方向）の一面１ａ側を被覆する第１インシュレータ２と、コア１の積層方向（矢印Ｔ方向）の他面１ｃ側を被覆する第２インシュレータ３とをもつ。コア１は、空気よりも透磁率が高い金属（例えば軟磁性材料）を基材とし、磁路を形成するコアである。コア１は、透磁率が高い金属（例えば軟磁性材料）製の板部材１０を積層方向（矢印Ｔ方向）に積層して形成されている。
【００２４】
図２は、コア１を構成する板部材１０の平面視を示す。図２に示すように、板部材１０は、中央孔１１ａを有するリング形状をなすコアリング体１１と、コアリング体１１にこれの中心Ｐ１に対して放射方向に沿って突設された複数のコアティース部１２とをもつ。放射方向は、外歯状をなすように径外方向とされている。隣設するコアティース部１２間には、スロットル空間１８が複数個形成されている。
【００２５】
コア１の平面視において、コア１の各コアティース部１２は、コアリング体１１の中心Ｐ１に対して放射方向の径外方向に突設されたコア放射方向突起部１３と、コア放射方向突起部１３の外端部からコアリング体１１の周方向（矢印Ｓ方向）に沿って突設されたコア周方向突起部１４とを備えている。
【００２６】
図２に示すように、コア１のコアリング体１１の内周側には複数（図２では合計４固）のコア鍔部１５が形成されている。複数のコア鍔部１５には凹形状（貫通孔形状）をなす案内部１６（図２では、１８０°間隔で合計２固）が形成されている。ボルト挿通孔も兼用できる貫通孔状の案内部１６は、コア１の積層方向（矢印Ｔ方向）に沿って延設されている。残りの複数のコア鍔部１５には貫通状のボルト挿通孔１６ｖ（図２では、１８０°間隔で合計２固）が形成されている。
【００２７】
図１に示すように、第１インシュレータ２は、電気絶縁性を有する材料（例えば樹脂）で形成されており、コア１の積層方向（矢印Ｔ方向，厚み方向）の一面１ａ側を被覆するものであり、コア１に対する電気絶縁性を高める。第２インシュレータ３は電気絶縁性を有する材料（例えば樹脂）で形成されており、コア１の積層方向（矢印Ｔ方向，厚み方向）の他面１ｃ側を被覆するものであり、コア１に対する電気絶縁性を高める。
【００２８】
ここで、図３は第１インシュレータ２の平面視を示す。図４は第１インシュレータ２の裏面視を示す。図３に示すように、第１インシュレータ２は、第１中央孔２１ａをもつリング形状をなす第１リング体２１と、第１リング体２１にこれの中心Ｐ２に対して放射方向（径外方向）に沿って突設された複数の第１ティース部２２とをもつ。第１ティース部２２は、第１インシュレータ２の中心Ｐ２に対して放射方向の仮想線Ｗｍに沿って突設された放射方向突起部２３と、第１インシュレータ２の周方向に沿って突設された周方向突起部２４とを備えている。第１ティース部２２の表面には、巻線６０を構成する線材を位置決めするための溝状をなす第１巻線位置部２２ｍが形成されている。
【００２９】
図３〜図５に示すように、第１インシュレータ２の各第１周方向突起部２４は、第１係合部８１を有する。図５に示すように、第１係合部８１は、スロットル空間１８において、第１周方向突起部２４の周方向の端部２４ｃの内面２４ｉにおいて、径内方向に向けてΔＷ１突設されている。第１絶縁部材５の厚みをｔとすると、ΔＷ１／ｔ１≒０．３〜１０の範囲内、０．５〜７の範囲内、０．７〜３の範囲内が例示される。但し、これに限定されるものではない。第１係合部８１は、第１ティース部２２の第１周方向突起部２４の厚みｔｃ（図８参照）相当ぶん積層方向（矢印Ｔ方向）において延設されている。図３は第１インシュレータ２を示す図であるが、第２インシュレータ３についても同様な構造にできる。
【００３０】
図３および図４から理解できるように、第１インシュレータ２の第１ティース部２２は、コア１のコアティース部１２に対面するように、コアティース部１２と同じ方向（径外方向）に突出する。第１インシュレータ２の第１リング体２１の内周側には、径内方向に複数の第１鍔部２５が突設されている。第１鍔部２５はコア１のコア鍔部１５に対面して被覆する。複数（１８０°間隔の２個）の第１鍔部２５には第１被案内部２６が形成されている。第１被案内部２６は、ボルト挿通孔を兼用する円筒形状（凸形状）をなしており、コア１の積層方向（矢印Ｔ方向）に沿って突設されている。残りの複数（１８０°間隔の２個）の第１鍔部２５にはボルト挿通孔２６ｖが形成されている。ここで、コア１の案内部１６に第１インシュレータ２の第１被案内部２６を案内させる。これにより第１インシュレータ２は、コア１の積層方向（矢印Ｔ方向）の一面１ａ側に組み付けられる（図１参照）。
【００３１】
図６〜図８に示すように、第１インシュレータ２には、巻線部６の巻回量を示唆する巻回量示唆部８５が形成されている。巻回量示唆部８５は、コア１の積層方向（矢印Ｔ方向）に向けて、即ち、巻線部６を構成する巻線６０を積層させる方向に向けて突設されている。巻回量示唆部８５は、第１放射方向突起部２３と第１周方向突起部２４との境界域に突設されている。第２インシュレータ３にも同様の巻回量示唆部８５が形成されている。但し、場合によっては、巻回量示唆部８５は第１インシュレータ２および第２インシュレータ３のうちのいずれか一方のみに形成することもできる。
【００３２】
第２インシュレータ３は、第１インシュレータ２と同一の構造、同一の材質を有するため、図６〜図８を準用することができる。図３に準用するように、第２インシュレータ３は、第２中央孔３１ａを形成するリング形状をなす第２リング体３１と、第２リング体３１にこれの中心Ｐ３に対して放射方向（径外方向）に沿って突設された複数の第２ティース部３２とをもつ。第２ティース部３２は、コア１のコアティース部１２に対面するようにコアティース部１２と同じ方向（径外方向）に突出する。第２インシュレータ３の第２ティース部３２は、第２リング体３１の中心Ｐ３に対して放射方向に突設された第２放射方向突起部３３と、第２リング体３１の周方向（矢印Ｓ方向）に沿って突設された第２周方向突起部３４とを備えている。第２ティース部３２は、コア１のコアティース部１２に対面するようにコアティース部１２と同じ方向（径外方向）に突出する。
【００３３】
第２インシュレータ３は、第２被案内部３６をもつ。第２被案内部３６は、積層方向（矢印Ｔ方向）に沿って凹または凸形状をなすように延設されている。コア１の案内部１６に第２インシュレータ３の第２被案内部３６を案内させることにより、第２インシュレータ３はコア１の積層方向（矢印Ｔ方向）の他面１ｃ側に組み付けられる。
【００３４】
ここで、コア１のコアリング体１１、第１インシュレータ２の第１リング体２１、第２インシュレータ３の第２リング体３１は、基本的には、同径サイズとされている。これらは互いに積層されるためである。従って、コア１のコアティース部１２、第１インシュレータ２の第１ティース部２２、第２インシュレータ３の第２ティース部３２は、基本的には、同じ投影サイズとされ、且つ、周方向において同位相とされている。
【００３５】
図８は、組み付け前における分解斜視図を示す。図８に示すように、第１絶縁部材５は電気絶縁性を有する部材であり、コア１のうちこれの周方向に隣設するコアティース部１２間のスロットル空間１８において、コアティース部１２に対面するように配置される。第１絶縁部材５は、紙および／または樹脂を基材とする折り曲げ可能な薄肉状をなしており、高い電気絶縁性を有する。
【００３６】
図８に示すように、第１絶縁部材５は、巻線収容空間５１を形成するように、コア１の積層方向（矢印Ｔ方向）において開口すると共に互いに対面する開口５ａ，５ｃと、コア１の径外側に位置するスリット状隙間５３とを有する。このように第１絶縁部材５は、折り目５０を介して、疑似５角形状をなすほぼＣ形状（切欠をもつ筒形状）に成形されている。図８に示すように、第１絶縁部材５は、径内側に位置する底辺部５４と、互いに対向する２つの側辺部５５と、径外側の２つの蓋辺部５６とを有する。
【００３７】
組付時について説明を加える。まず、コア１の案内部１６に第１インシュレータ２の第１被案内部２６を案内させる。これにより第１インシュレータ２はコア１の積層方向（矢印Ｔ方向）の一面１ａ側に組み付けられる。またコア１の案内部１６に第２インシュレータ３の第２被案内部３６を案内させる。これにより第２インシュレータ３はコア１の積層方向（矢印Ｔ方向）の他面１ｃ側に組み付けられる。これにより第１インシュレータ２および第３インシュレータ３は、積層方向（矢印Ｔ方向）においてコア１を挟む。次に図８に示すように、コア１を構成する各コアティース部１２間のスロットル空間１８に、ほぼ筒形状に成形した第１絶縁部材５をそれぞれ挿入して配置する。
【００３８】
このように第１絶縁部材５がスロットル空間１８内に挿入されて配置されている状態では、図９に示すように、第１絶縁部材５の側辺部５５は、コア１のコアティース部１２のコア放射方向突起部１３の側面１３ｓに対面してあてがわれる。また、第１絶縁部材５の底辺部５４は、コア１のコアリング体１１の外周面１１ｐに対面してあてがわれる。更に、図９に示すように、第１絶縁部材５の蓋辺部５６は、コア１のコア周方向突起部１４の内面１４ｉに対面してあてがわれる。更に図９に示すように、第１絶縁部材５のスリット状隙間５３は、スロットル空間１８の先端開口１８ｃに対面する。
【００３９】
また、図１１は巻線６０を巻回した状態を示す（図１１では巻線６０の一部を図示）。図１１に示すように、第１絶縁部材５の側辺部５５は、第１インシュレータ２の第１ティース部２２の第１放射方向突起部２３の側面２３ｓに対面してあてがわれる。同様に、第２インシュレータ３の第２ティース部３２の第２放射方向突起部３３の側面３３ｓに対面してあてがわれる。
【００４０】
図８から理解できるように、第１絶縁部材５の底辺部５４は、第１インシュレータ２の第１リング体２１の外周面２１ｐに対面してあてがわれると共に、第２インシュレータ３の第２リング体３１の外周面３１ｐに対面してあてがわれる。
【００４１】
また図８から理解できるように、第１絶縁部材５の蓋辺部５６は、第１インシュレータ２の第１ティース部２２の第１周方向突起部２４の内面２４ｉに対面してあてがわれると共に、第２インシュレータ３の第２ティース部３２の第２周方向突起部３４の内面３４ｉに対面してあてがわれる。
【００４２】
図９に示すように第１絶縁部材５を各コアティース部１２のスロットル空間１８内に挿入して配置したら、その後、導電性をもつ巻線６０を、第１絶縁部材５で覆われたコア１のコア放射方向突起部１３に巻回する。この場合、図１１に示すように、巻線６０はコア１のコア放射方向突起部１３、第１インシュレータ２の第１放射方向突起部２３、第２インシュレータ３の第２放射方向突起部３３に巻き付けられる。
【００４３】
ここで、巻線６０は第１インシュレータ２の第１ティース部２２において溝状の第１巻線位置部２２ｍで位置決めされ、同様に、第２インシュレータ３の第２ティース部３２の溝状の第２巻線位置部３２ｍで位置決めされる。巻線６０を巻き付けるとき、巻線６０はスロットル空間１８の先端開口１８ｃ（図１０参照）の径外側から挿入される。このため第１絶縁部材５は、スリットル開口１８の開口量を維持する必要があり、このためスリット状隙間５３（図８参照）を形成している。
【００４４】
図９は、巻線部６がコア１のコアティース部１２の外側に巻回されている状態を拡大して示す。図１０は巻線部６が巻回されている状態の全体（一部断面図）を示す。上記したように巻線部６がコア１に巻回されたら、図８および図９に示すように、折り目７ｃを介して第２絶縁部材７を浅いＶ形状に曲げ成形し、その第２絶縁部材７をスロット開口１８のうち先端開口１８ｃ側に挿入して配置させる。第２絶縁部材７は、スロットル空間１８の先端開口１８ｃを塞ぐ（図９参照）。
【００４５】
以上説明したように本実施形態によれば、図３，図４，図５，図８，図９に示すように、第１インシュレータ２および第２インシュレータ３には、第１係合部８１が設けられている。具体的には、図５に示すように、第１インシュレータ２の第１ティース部２２の第１周方向突起部２４の端部２４ｃの内面２４ｉ側には、第１係合部８１が一体的に突設されており、スロットル空間１８に対面している。同様に、第２インシュレータ３の第２ティース部３２の第２周方向突起部３４の端部３４ｃの内面３４ｉ側には、第１係合部８１が一体的に突設されており、スロットル空間１８に対面している。
【００４６】
ところで、巻線６０をコア１の各コアティース部１２に外側から巻回して巻線部６を形成するときには、スロットル空間１８内に配置した第１絶縁部材５の巻き込みが発生し易いおそれがある。殊に、高占有率巻線機を用いて、占有率が５０％以上を占める自動巻きを実行する場合には、スロットル空間１８内に配置された第１絶縁部材５の巻き込みが発生し易いおそれがある。
【００４７】
この点について本実施例によれば、図９，図５から理解できるように、第１インシュレータ２および第２インシュレータ３には第１係合部８１が形成されている。そしてスロットル空間１８内において、ほぼ筒形状をなす第１絶縁部材５の蓋辺部５６のうち自由端状をなす先端部５６ａが第１係合部８１に係合する。この結果、第１絶縁部材５が、スロットル空間１８内において、コア１の周方向（矢印Ｓ方向）において移動することが抑えられる。従って、コア１のスロットル空間１８内において、第１絶縁部材５の移動および外れが抑制される。
【００４８】
この結果、巻線６０をコア１の各コアティース部１２の巻回して巻線部６を形成するときであっても、第１絶縁部材５がコア１の周方向（矢印Ｓ方向）に移動することが抑えられる。よって、第１絶縁部材５の巻き込みが抑えられる。従って、高占有率巻線機を用いて占有率が高い（例えば５０％以上）を占める自動巻きを実行する場合であっても、第１絶縁部材５の巻き込みが効果的に抑えられる。このためコア１と巻線部６との電気絶縁性が第１絶縁部材５により良好に確保される。更に高占有率巻線機を用いて、占有率が高い（例えば５０％以上）自動巻が可能となる。
【００４９】
加えて本実施例によれば、図５に示すように、第２インシュレータ３には第２係合部８２が形成されている。第２係合部８２は、第２インシュレータ３の第１ティース部２２のうち放射方向突起部２３と周方向突起部２４との境界域２４ｘに位置している。このように第２係合部８２は、第１インシュレータ２と一体成形することにより容易に形成できる。
【００５０】
図１１は、第２係合部８２による係合状態を示す。図１１に示すように、第２係合部８２は、第１絶縁部材５のうちコア１の積層方向（矢印Ｔ方向）における端部５ｋに対面して係合する。これにより上記したように巻線６０を巻回するときであっても、第１絶縁部材５の保持性が向上し、第１絶縁部材５がコア１の積層方向（矢印Ｔ方向，軸長方向）に移動することが抑えられる。第１インシュレータ２にも同じ位置に第２係合部８２が設けられている。
【００５１】
ここで本実施例によれば、図５から理解できるように、第２係合部８２は、第１絶縁部材５のうち側辺部５５と蓋辺部５６との境界域の部分５６ｘ（折り目に相当）に係合することができる。このように第２係合部８２が境界域の部分５６ｘに係合すれば、第１絶縁部材５を構成する側辺部５５および蓋辺部５６の双方に対する保持性を更に高めることができる。故に、第１絶縁部材５の保持性を更に高めることができる。殊に、図５から理解できるように、上記した部分５６ｘは、自由端である先端部５６ａに近い位置にあるため、自由端である先端部５６ａに対する保持性を高めるのに有利である。
【００５２】
巻線６０がコアティース部１２に巻回されるときには、図９から理解できるように、巻線６０により、第１絶縁部材５の側辺部５５は、コアティース部１２の放射状突起部１３の側面１３ｓに押し当てられる。このため第１絶縁部材５のうち側辺部５５および蓋辺部５６の双方の境界域の部分５６ｘは、第２係合部８２に対面して良好に係合することができる。従ってスロットル空間１８内における第２絶縁部材７の矢印Ｔ方向におけるずれ変位が、更に一層抑えられる。よって、第２絶縁部材７による電気絶縁性が良好に確保される。
【００５３】
更に本実施例によれば、巻線部６の巻回量を示唆する巻回量示唆部８５（図８参照）が第１インシュレータ２および第２インシュレータ３に突設されており、巻線部６の巻線位置（巻回数）を制限することができる。このため巻線６０を巻回するとき、巻線６０の過剰巻回が抑えられる。故に、第２絶縁部材７を挿入するスペースがスロットル空間１８内において確保される。故に、第２絶縁部材７をスロットル空間１８内に挿入することが容易となる。
【００５４】
また本実施例によれば、図８に示すように、コア１のコアリング体１１の内周側には案内部１６が形成されている。第１インシュレータ２の第１リング体２１の内周側には第１被案内部２６が形成されている。第２インシュレータ３の第２リング体３１の内周側には第２被案内部３６が形成されている。従って、第１インシュレータ２の第１被案内部２６をコア１の案内部１６に案内させることにより、第１インシュレータ２はコア１の一面１ａ側に組み付けられる（図１参照）。同様に、第２インシュレータ３の第２被案内部３６をコア１の案内部１６に案内させることにより、第２インシュレータ３はコア１の他面１ｃ側に組み付けられる（図１参照）。このように第１インシュレータ２、コア１、第２インシュレータ３の組み付けが簡単となる。
【００５５】
加えて本実施例によれば、図８に示すように、ほぼＣ形状に成形した第１絶縁部材５をスロット開口１８内に挿入する他に、第１絶縁部材５とは別体をなす第２絶縁部材７をスロットル空間１８内に挿入する。このため、巻線部６とコア１との間の電気絶縁性を更に一層高めることができる。
【実施例２】
【００５６】
図１２は実施例２を示す。本実施例は実施例１と基本的には同様の構成及び作用効果を有する。以下、相違する部分を中心として説明する。本実施例によれば、実施例１と同様に、第１係合部８１は第１インシュレータ２および第２インシュレータ３に形成されている。更に図１２に示すように、コア１のコアティース部１２のコア周方向突起部１４の端部１４ｃの内面１４ｉ側においても、第１係合部８１が形成されている。第１係合部８１はスロットル空間１８に対面する。このためスロットル空間１８内の第１絶縁部材５が第１係合部８１に係合する。この結果、巻線６０を巻回するとき、第１絶縁部材５がコア１のスロットル空間１８内において過剰に移動することが更に一層抑制される。従って、巻線６０の巻き付けの際に、第１絶縁部材５が巻線６０に巻き込まれることが一層抑制される。
【００５７】
場合によっては、第１係合部８１を第１インシュレータ２および第２インシュレータ３に形成することなく、図１２に示すように、コア１のコアティース部１２のコア周方向突起部１４だけに、第１係合部８１を形成しても良い。
【実施例３】
【００５８】
図１３は実施例３を示す。本実施例は実施例１と基本的には同様の構成及び作用効果を有する。以下、相違する部分を中心として説明する。実施例１と同様に、第１係合部８１は係合爪状をなしており、第１インシュレータ２および第２インシュレータ３に形成されている。図１３に示すように、第１係合部８１は、スロットル空間１８に向けて径内方向に突出する第１凸部８１１と、第１凸部８１１から周方向（矢印Ｓ方向）に指向する第２凸部８１２とを備えている。ここで、第１凸部８１１と第２凸部８１２とで係合凹部８１３が形成される。第１絶縁部材５の蓋辺部５６の先端部５６ｉは係合凹部８１３に挿入されつつ、係合凹部８１３に係合されている。第１絶縁部材５の蓋辺部５６の先端部５６ａは係合凹部８１３に挿入されて嵌合されている。このため、スロットル空間１８内における第１絶縁部材５の保持性を更に一層高めることができる。このような構造の第１係合部８１であっても、第１インシュレータ２および第２インシュレータ３は樹脂成形で形成されているため、容易に形成することができる。
【実施例４】
【００５９】
図１４は実施例４を示す。本実施例は実施例１と基本的には同様の構成及び作用効果を有する。以下、相違する部分を中心として説明する。実施例１と同様に、第１インシュレータ２の第１周方向突起部２４は、係合嵌合用の突起２４ｗをもつ。第２インシュレータ３の第２周方向突起部３４は、係合嵌合用の突起３４ｗをもつ。突起２４ｗ，３４ｗは、コア１のコア周方向突起部１４に嵌合して位置決めされる。この結果、第１インシュレータ２の第１ティース部２２、第２インシュレータ３の第２ティース部３２は、コア１のティース部１２に精度良く位置決めされる。
【実施例５】
【００６０】
本実施例は実施例１と基本的には同様の構成及び作用効果を有する。以下、相違する部分を中心として説明する。図示はしないものの、第１係合部８１は第１インシュレータ２および第２インシュレータ３のうちのいずれか一方に形成されている。第２係合部８２は第１インシュレータ２および第２インシュレータ３のうちのいずれか一方に形成されている。
【実施例６】
【００６１】
本実施例は実施例１と基本的には同様の構成及び作用効果を有する。以下、相違する部分を中心として説明する。図示はしないものの、軟磁性をもつ粉末粒子を、電気絶縁性が高い樹脂バインダで被覆した軟磁性粉末の集合体を固める工程、樹脂バインダで結合する工程を経て、コアは形成されている。このように製造されたコアの輪郭形状は、実施例１のコア１の輪郭形状と共通する。
【実施例７】
【００６２】
本実施例は実施例１と基本的には同様の構成及び作用効果を有する。以下、相違する部分を中心として説明する。図示はしないものの、軟磁性をもつ粉末粒子を電気絶縁性が高い被覆層（例えばりん酸塩被膜）で被覆した軟磁性粉末の集合体を固結させる工程を経て、コアは形成されている。このように製造されたコアの輪郭形状は、実施例１のコア１の輪郭形状と共通する。
【００６３】
（その他）
上記した実施例１によれば、第１インシュレータ２および第２インシュレータ３には、巻線部６の巻回量を示唆する巻回量示唆部８５が形成されているが、これに限らず、場合によっては、巻回量示唆部８５は設けられていなくても良い。第１絶縁部材５で充分なときには、第２絶縁部材７を廃止することもできる。第１絶縁部材５は疑似５角形状に限定されるものではない。
【００６４】
他の案内具を用いるときには、案内部１６、第１被案内部２６および第２被案内部３６を廃止しても良い。コア１において、コアティース部１２は径外方向に沿って延設されているが、径内方向に内歯状に延設されていても良い。この場合、第１インシュレータ２の第１ティース部２２および第２インシュレータ３の第２ティース部３２も径外方向に延設される。第１係合部８１が設けられている限り、第２係合部８２を廃止することもできる。場合によっては、第１係合部８１をコア１のみに形成し、第１インシュレータ２および第２インシュレータ３に形成せずとも良い。その他、本発明については、上記した実施形態および実施例のみに限定されるものではなく、要旨を逸脱しない範囲内で適宜変更して実施できる。上記した記載から次の技術的思想も把握される。
【００６５】
（付記項１）リング形状をなすコアリング体と前記コアリング体にこれの中心に対して放射方向に沿って突設された複数のコアティース部と、隣設する前記コアティース部間に設けられたスロットル空間とをもつコアと、
前記コアの前記コアリング体に対面するリング形状をなす第１リング体と前記第１リング体にこれの中心に対して放射方向に沿って突設された複数の第１ティース部とをもち、前記コアの軸長方向の一面側を被覆する第１インシュレータと、
前記コアの前記コアリング体に対面するリング形状をなす第２リング体と前記第２リング体にこれの中心に対して放射方向に沿って突設された複数の第２ティース部とをもち、前記コアの軸長方向の他面側を被覆する第２インシュレータと、
前記コアのうちこれの周方向に隣設する前記コアティース部間の前記スロットル空間において前記コアティース部に対面するように配置され電気絶縁性を有する第１絶縁部材と、
前記コアを構成する各前記コアティース部の回りにそれぞれ巻回された導電性をもつ巻線部とを具備する回転機器。
【００６６】
（付記項２）付記項１において、前記第１インシュレータおよび前記第２インシュレータのうちの少なくとも一方は第２係合部を備えており、前記第２係合部は、前記スロットル空間内の前記第１絶縁部材のうち前記軸長方向の端部に係合し且つ前記第１絶縁部材が前記軸長方向に移動することを抑えることを特徴とする回転機器。
【産業上の利用可能性】
【００６７】
本発明は発電機、モータ等の回転機器に利用できる。
【図面の簡単な説明】
【００６８】
【図１】第２絶縁部材を挿入する過程を示す回転機器の側面図である。
【図２】コアを構成する板部材の平面図である。
【図３】第１インシュレータの平面図である。
【図４】第１インシュレータの裏面図である。
【図５】第１インシュレータの第１ティース部を示す図である。
【図６】図３におけるＶＩ−ＶＩ線に沿った断面図である。
【図７】図３におけるＶＩＩ−ＶＩＩ線に沿った断面図である。
【図８】コアに第１インシュレータ、第２インシュレータ、第１絶縁部材、第２絶縁部材を組み付ける前の状態を示す部分斜視図である。
【図９】コアに第１インシュレータ、第２インシュレータ、第１絶縁部材を取り付けた状態において巻線部を巻回し、更に、第２絶縁部材を取り付けた状態を示す部分断面図である。
【図１０】コアに第１インシュレータ、第２インシュレータ、第１絶縁部材を取り付けた状態において、巻線部をコアティース部に巻回した状態を示す全体図（一部断面図）である。
【図１１】コアの第１ティース部に巻線の一部を巻回した状態を模式的に示す断面図である。
【図１２】実施例２に係り、コアの第１ティース部を示す平面図である。
【図１３】実施例３に係り、巻線部を第２インシュレータに巻回した状態を示す部分断面図である。
【図１４】実施例４に係り、コアに第１インシュレータ、第２インシュレータ、第１絶縁部材、第２絶縁部材を組み付ける前の状態を示す部分斜視図である。
【符号の説明】
【００６９】
図中、１はコア、１ａは一面、１ｃは他面、１１はコアリング体、１２はコアティース部、１３は放射方向突起部、１４は周方向突起部、１６は案内部、１８はスロットル空間、１８ｃはスロットル空間の先端開口、２は第１インシュレータ、２１は第１リング体、２２は第１ティース部、２３は第１放射方向突起部、２４は第１周方向突起部、２６は第１被案内部、３は第２インシュレータ、３１は第２リング体、３２は第２ティース部、３３は第２放射方向突起部、３４は第２周方向突起部、３６は第２被案内部、５は第１絶縁部材、５１は巻線収容空間、５３はスリット状開口、６は巻線部、６０は巻線、８１は第１係合部、８２は第２係合部、８５は巻回量示唆部を示す。
【図１】
2009130942.tif 000003
【図２】
2009130942.tif 000004
【図３】
2009130942.tif 000005
【図４】
2009130942.tif 000006
【図５】
2009130942.tif 000007
【図６】
2009130942.tif 000008
【図７】
2009130942.tif 000009
【図８】
2009130942.tif 000010
【図９】
2009130942.tif 000011
【図１０】
2009130942.tif 000012
【図１１】
2009130942.tif 000013
【図１２】
2009130942.tif 000014
【図１３】
2009130942.tif 000015
【図１４】
2009130942.tif 000016